(57)【要約】  空気調和機の室外機は、側面に開口を有する筐体と、筐体の内部上方に設けられた熱交換器と、筐体の底面に設けられ、熱交換器で発生するドレン水を外部へ排水する排水孔を有する底板と、熱交換器の下方に設けられ、ドレン水を底板に誘導する排水構造と、排水構造を加熱する加熱手段と、を備えている。排水構造は、筐体の開口を覆う側面パネルと、筐体の内部に側面パネルと対向して設けられ、側面パネルとの間でドレン水の排水経路を形成する導水板と、で構成されている。加熱手段は、側面パネルの少なくとも上部を加熱する構成である。
2020148888.tif 000002
【特許請求の範囲】
【請求項１】
側面に開口を有する筐体と、
前記筐体の内部上方に設けられた熱交換器と、
前記筐体の底面に設けられ、前記熱交換器で発生するドレン水を外部へ排水する排水孔を有する底板と、
前記熱交換器の下方に設けられ、前記ドレン水を前記底板に誘導する排水構造と、
前記排水構造を加熱する加熱手段と、を備え、
前記排水構造は、
前記筐体の開口を覆う側面パネルと、
前記筐体の内部に前記側面パネルと対向して設けられ、前記側面パネルとの間で前記ドレン水の排水経路を形成する導水板と、で構成され、
前記加熱手段は、前記側面パネルの少なくとも上部を加熱する構成である、空気調和機の室外機。
【請求項２】
前記加熱手段は、ヒーターと、前記ヒーターで加熱された周囲の温度を検知する温度検知手段と、を有している、請求項１に記載の空気調和機の室外機。
【請求項３】
前記ヒーターは、前記側面パネルの横幅方向の中央に位置するように配置されている、請求項２に記載の空気調和機の室外機。
【請求項４】
前記加熱手段は、前記側面パネルの外面に対向させて配置されており、前記側面パネルの外面側に設けられた取付金具によって保持されている、請求項１〜３のいずれか１項に記載の空気調和機の室外機。
【請求項５】
前記加熱手段と前記側面パネルとの間には、断熱部材が設けられている、請求項４に記載の空気調和機の室外機。
【請求項６】
前記取付金具は、前記側面パネルに対向する側に開口面を有する矩形状の箱型で構成されており、開口面の下縁辺に沿って外方へ突き出す下フランジ部を有している、請求項４又は５に記載の空気調和機の室外機。
【請求項７】
前記下フランジ部と前記側面パネルとの間には、第１緩衝部材が設けられている、請求項６に記載の空気調和機の室外機。
【請求項８】
前記取付金具の内部には、第２緩衝部材が左右の側面に隣接させて設けられている、請求項６又は７に記載の空気調和機の室外機。
【請求項９】
前記取付金具は、前記側面パネルの外面から水平方向の外向きに１５ｍｍ以下の範囲内に収まる大きさで構成されている、請求項４〜８のいずれか１項に記載の空気調和機の室外機。
【請求項１０】
前記側面パネルは、前記筐体の内部側へ向かって上端部を屈曲させて形成した第１鉤状部を有し、
前記取付金具は、前記筐体の内部側へ向かって上端部を屈曲させて形成した第２鉤状部を有しており、
前記取付金具は、前記第２鉤状部を前記第１鉤状部に被せて、前記側面パネルの外面に取り付けられる構成である、請求項４〜９のいずれか一項に記載の空気調和機の室外機。
【請求項１１】
前記取付金具の上部と前記側面パネルの上部との間には、隙間を塞ぐシール部材が設けられている、請求項１０に記載の空気調和機の室外機。
【請求項１２】
前記取付金具の内部には、前記加熱手段と前記側面パネルとの間に配置され、前記加熱手段を保護する内板金が設けられている、請求項４〜１１のいずれか１項に記載の空気調和機の室外機。
【請求項１３】
前記取付金具には、前記加熱手段に接続された配線を通す第１取出口が形成されており、
前記内板金には、前記加熱手段に接続された配線を通す第２取出口が、前記第１取出口と重ならないように位置をずらして形成されている、請求項１２に記載の空気調和機の室外機。
【請求項１４】
前記加熱手段は、前記側面パネルの全面を加熱させるパネルヒーターである、請求項１に記載の空気調和機の室外機。
【請求項１５】
前記加熱手段は、前記側面パネルと前記導水板との間に設けられている、請求項１４に記載の空気調和機の室外機。
【請求項１６】
前記加熱手段は、前記底板の前記排水孔に到達する位置まで設けられている、請求項１５に記載の空気調和機の室外機。
【請求項１７】
前記加熱手段は、前記側面パネルに内蔵された構成である、請求項１４に記載の空気調和機の室外機。
【発明の詳細な説明】
【技術分野】
【０００１】
本発明は、熱交換器のドレン水を排水する排水構造を備えた空気調和機の室外機に関するものである。
【背景技術】
【０００２】
一般に、空気調和機は、例えば四方弁等の流路切換装置によって冷媒の流れを切り替えることで冷房運転と暖房運転とを行う構成が知られている。空気調和機は、外気温度が低い環境下で暖房運転を行うと、室外機の熱交換器に霜が付着して、熱交換効率が悪化することがある。そのため、室外機は、通常、霜を除去するためのデフロスト機能を備えている。【０００３】
室外機は、デフロスト運転によって溶けた霜をドレン水として下方に流し、室外機の底板上で受け止められた後に、底板に形成された排水孔から外部に排水させる。しかし、底板で受け止めたドレン水の少量は、排水孔まで到らずに底板上に残ってしまうことがある。底板上に残ったドレン水は、デフロスト運転の終了後、暖房運転に復帰したときに外気が氷点下であると再び凍結してしまう。そして、熱交換器は、定期的にデフロスト運転が繰り返されるため、一度凍結したドレン水は凍結が進行し、熱交換器が氷で覆われてしまい暖房能力が低下したり、氷の成長によって冷媒配管が押し潰れたりする。このため、例えば特許文献１及び２には、室外機の底板上に凍結防止ヒーターを設置してドレン水の凍結を防止する技術が開示されている。
【先行技術文献】
【特許文献】
【０００４】
【特許文献１】国際公開第２０１１／０３０６７８号
【特許文献２】国際公開第２０１３／０８８７１３号
【発明の概要】
【発明が解決しようとする課題】
【０００５】
特許文献１及び２に開示された空気調和機の室外機のように、底板上に凍結防止ヒーターを設置しても、完全に凍結を防止することはできない。つまり、実際には、凍結防止ヒーターの周囲数ｍｍ程の氷を融解するだけで、内部が空洞になる。そのため、凍結防止ヒーターを備えた室外機は、凍結防止ヒーター上部もいずれは氷結して底板上に氷が一面に形成され、熱交換器の冷媒配管が破損する虞がある。【０００６】
ところで、空気調和機の室外機では、熱交換器が筐体の内部上方で支持され、熱交換器の下方にドレン水を底板に誘導する排水構造を備えた構成が考えられる。しかし、室外機は、寒冷地環境下において、排水構造の下部が氷結で埋まった後に、排水構造の上方まで成長したドレン水の凍結が進行すると、熱交換器が氷で覆われてしまい暖房能力が低下したり、熱交換器を構成する配管が潰れたりするおそれがある。更に、滴下したドレン水が成長した氷結部分を介して、圧縮機及びアキュムレーター等の機内構成部品を配置した筐体１の内方に浸入してしまうおそれがある。【０００７】
本発明は、上記のような課題を解決するためになされたものであり、排水構造の下部が氷結で埋まった後に、排水構造の上方まで凍結が進行した場合であっても、熱交換器の暖房能力の低下、及び冷媒配管の破損を防止でき、更に滴下したドレン水が筐体の内方に浸入してしまう事態を防止できる、空気調和機の室外機を提供することを目的とする。
【課題を解決するための手段】
【０００８】
本発明に係る空気調和機の室外機は、側面に開口を有する筐体と、前記筐体の内部上方に設けられた熱交換器と、前記筐体の底面に設けられ、前記熱交換器で発生するドレン水を外部へ排水する排水孔を有する底板と、前記熱交換器の下方に設けられ、前記ドレン水を前記底板に誘導する排水構造と、前記排水構造を加熱する加熱手段と、を備えている。前記排水構造は、前記筐体の開口を覆う側面パネルと、前記筐体の内部に前記側面パネルと対向して設けられ、前記側面パネルとの間で前記ドレン水の排水経路を形成する導水板と、で構成され、前記加熱手段は、前記側面パネルの少なくとも上部を加熱するものである。
【発明の効果】
【０００９】
本発明に係る空気調和機の室外機によれば、排水構造を構成する側面パネルの少なくとも上部を加熱する加熱手段を備えているので、排水構造の下部が氷結で埋まった後に、排水構造の上方まで氷結が成長しても、当該氷結を加熱手段で溶かし、排水構造の上端部から側面パネルの外側へ排水させることができる。よって、熱交換器の暖房能力の低下、及び冷媒配管の破損を防止でき、更に滴下したドレン水が筐体の内方に浸入してしまう事態を防止できる。
【図面の簡単な説明】
【００１０】
【図１】本発明の実施の形態１に係る空気調和機の室外機を示した斜視図である。
【図２】本発明の実施の形態１に係る空気調和機の室外機の内部構成を拡大して示した斜視図である。
【図３】本発明の実施の形態１に係る空気調和機の室外機の底板の構造を示した上面図である。
【図４】本発明の実施の形態１に係る空気調和機の室外機の排水構造を概略的に示した断面図である。
【図５】本発明の実施の形態１に係る空気調和機の室外機の導水板を排水面側から見た斜視図である。
【図６】図１に示したＡ部拡大図である。
【図７】図４に示したＢ部拡大図である。
【図８】本発明の実施の形態１に係る空気調和機の室外機であって、加熱手段を取付金具の内部に収容した状態を示した斜視図である。
【図９】本発明の実施の形態１に係る空気調和機の室外機であって、加熱手段と内板金を取付金具の内部に収容した状態を示した斜視図である。
【図１０】本発明の実施の形態１に係る空気調和機の室外機の内板金を示した斜視図である。
【図１１】図９に示したＣ部拡大図である。
【図１２】本発明の実施の形態１に係る空気調和機の室外機であって、排水経路の上部でドレン水が氷結した状態を示した説明図である。
【図１３】本発明の実施の形態１に係る空気調和機の室外機の変形例を示した斜視図である。
【図１４】本発明の実施の形態１に係る空気調和機の室外機であって、取付金具の変形例を示した要部拡大図である。
【図１５】本発明の実施の形態２に係る空気調和機の室外機の排水構造を概略的に示した断面図である。
【図１６】本発明の実施の形態３に係る空気調和機の室外機の排水構造を概略的に示した断面図である。
【発明を実施するための形態】
【００１１】
実施の形態１．
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１２】
図１は、本発明の実施の形態１に係る空気調和機の室外機を示した斜視図である。図２は、本発明の実施の形態１に係る空気調和機の室外機の内部構成を拡大して示した斜視図である。図３は、本発明の実施の形態１に係る空気調和機の室外機の底板の構造を示した上面図である。図４は、本発明の実施の形態１に係る空気調和機の室外機の排水構造を概略的に示した断面図である。図５は、本発明の実施の形態１に係る空気調和機の室外機の導水板を排水面側から見た斜視図である。
【００１３】
実施の形態１の室外機１００は、図１〜図４に示すように、縦置きされた略直方体形状の筐体１と、筐体１の内部上方に設けられた熱交換器２と、熱交換器２で発生するドレン水を外部へ排水する排水孔４０を有する底板４と、熱交換器２を筐体１の内部上方に支持する支持台２０と、ドレン水を底板４に誘導する排水構造７と、排水構造７を加熱する加熱手段６と、を備えている。
【００１４】
筐体１は、図１及び図２に示すように、底面に設けられた底板４の隅部から上方に向かって延びるフレーム材１０を有している。筐体１は、フレーム材１０で囲まれた上方側の外周面に、内部に空気を取り込むための空気吸込口１ａが形成され、空気吸込口１ａに沿って熱交換器２が配置されている。筐体１の上面には、空気吹出口１ｂが形成されており、筐体１内で空気吹出口１ｂの直下位置にファン１１が配備されている。このファン１１の駆動により、空気吸込口１ａから筐体１内に吸い込まれた空気が、熱交換器２を通過して冷媒と熱交換したのちファン１１を経て空気吹出口１ｂから排気されるようになっている。
【００１５】
筐体１は、図１に示すように、フレーム材１０で囲まれた下方側の外周面に、意匠板金である側面パネル３が設けられている。筐体１は、下方側の外周面が側面パネル３によって塞がれている。側面パネル３は、左右の側縁部がフレーム材１０にネジ等の締結部材で固定され、下縁部が底板４にネジ等の締結部材で固定されている。また、側面パネル３は、図４に示すように、筐体１の内部側へ向かって上端部を屈曲させて形成した第１鉤状部３０を有している。図２に示すように、熱交換器２の下方である筐体１の内部下方には、例えばコンプレッサー、アキュムレーター等の機内構成部品１２が設置されている。室外機１００は、筐体１から側面パネル３を取り外して内部を開放することで、機内構成部品１２のメンテナンスなどが可能となる。
【００１６】
熱交換器２は、熱交換器２に供給される冷媒と、熱交換器２を通過する空気とを熱交換させるものである。熱交換器２は、冷房運転時には凝縮器として機能して冷媒を凝縮液化し、暖房運転時には、蒸発器として機能して冷媒を蒸発気化させる。熱交換器２は、２つのＬ字状の熱交換器を組み合わせて略方形状とされ、図１及び図２に示すように、外側面を筐体１の内側面に沿わせて配置されている。また、熱交換器２は、筐体１の内部に設けられた支持台２０によって筐体１の内部上方に支持されている。
【００１７】
底板４は、図２及び図３に示すように、略長方形状をなし、筐体１の底面に設けられて、機内構成部品１２を載置させるものである。底板４には、外周縁辺を上方へ向かって屈曲させた立ち上がり部４２が形成されている。また、底板４には、図３及び図４に示すように、デフロスト運転によって霜が溶けたドレン水を、外部へ排水する排水孔４０と、ドレン水を排水孔４０へ導く排水溝４１が形成されている。底板４の各隅部には、熱交換器２を支持する支持台２０の下端部が固定されている。
【００１８】
排水構造７は、図４に示すように、側面パネル３と、筐体１の内部に側面パネル３と間隔をあけて対向して設けられ、側面パネル３との間でドレン水の排水経路７０を形成する導水板５と、で構成されている。排水経路７０は、デフロスト運転によって溶けた霜をドレン水として室外機１００の下方（図中矢印の方向）へ流す経路であり、ドレン水を底板４の排水溝４１へ導くものである。なお、導水板５と側面パネル３との間隔は、筐体１内に設置する機内構成部品１２のスペースをできるだけ広く確保するため、寒冷地環境下以外での雨水等の水量の必要最小限の容量から算出される。
【００１９】
導水板５は、図５に示すように、一例として熱伝導率が低い合成樹脂材又はゴム材からなる略平板状部材である。熱伝導率が低いとした理由は、熱交換器２からのドレン水が導水板５によって熱を奪われてすぐに氷結しないようにするためである。導水板５は、上端部に筐体１の内方へ向かって斜め上方へ３０°程度傾斜する傾斜部５１を有している。傾斜部５１は、図４に示すように、上端が側面パネル３の上端よりも高い位置とされている。また、傾斜部５１の上端部には、上方に向かって延びるフランジ部５３が設けられている。滴下したドレン水が筐体１の内方へ浸入しないように防止するためである。なお、導水板５は、熱交換器２に接触させていない。
【００２０】
導水板５は、傾斜部５１から側面パネル３に対向させた面に移行する角部にＲ加工が施された湾曲部５２を有しており、熱交換器２から滴下したドレン水が傾斜部５１に滞留することなく排水経路７０を通じて下方へスムーズに導水できる構造としている。また、導水板５の左右の側縁辺には、排水経路７０を塞ぐフランジ部５４が設けられており、ドレン水を筐体１の内方に浸入させない構造としている。導水板５は、左右のフランジ部５４、５４に設けられた取付部５６を介して、両側縁が支持台２０に固定されている。なお、取付部５６は、ボルト又はネジ等の締結部材を通す孔が形成されており、孔に通した締結部材によって支持台２０に固定される。取付部５６は、図示例の場合、左右のフランジ部５４の上下方向にそれぞれ２個ずつ設けられているが、１個以上あればよい。
【００２１】
導水板５の排水面５０には、補強用の縦リブ５５が左右方向に間隔をあけて３つ形成されている。また、図示は省略したが、導水板５の背面には、補強用の横リブが、上下方向に間隔をあけて３つ形成されている。縦リブ５５及び横リブは、導水板５を樹脂成形品の平板形状とした場合、導水板５の成型時の反りを防止するために設けられている。なお、縦リブ５５は、排水経路７０を阻害しないように、ドレン水の流れ方向と同じ縦方向として設けている。なお、縦リブ５５及び横リブの本数は、３つに限定されない。
【００２２】
また、導水板５には、排水経路７０から筐体１の内部に向かって貫通する複数の貫通孔５７が形成されている。貫通孔５７は、図５に示すように、氷結と融解を繰り返す際に排水経路７０が膨張しないための氷結膨張逃がし穴であり、氷結時の膨張防止を図る目的で形成されている。貫通孔５７は、図示例の場合、間隔をあけて縦方向に４つ、横方向に４つ形成されているが、この限りではなく、適宜、個数及び大きさを調整して設けるものとする。
【００２３】
なお、詳細に図示することは省略したが、導水板５は、樹脂成形品の排水面５０にシボ形状又は溝を設けて撥水性を向上させた構造としてもよい。
【００２４】
加熱手段６は、排水経路７０の下部が氷結で埋まった後に、排水経路７０内で上方まで成長した氷結を加熱して溶かし、排水経路７０の上端部から側面パネル３の外側へ排水させるために設けられている。つまり、加熱手段６は、主として、側面パネル３の外面側の上部を加熱するものである。
【００２５】
図６は、図１に示したＡ部拡大図である。図７は、図４に示したＢ部拡大図である。図８は、本発明の実施の形態１に係る空気調和機の室外機であって、加熱手段を取付金具の内部に収容した状態を示した斜視図である。図９は、本発明の実施の形態１に係る空気調和機の室外機であって、加熱手段と内板金を取付金具の内部に収容した状態を示した斜視図である。図１０は、本発明の実施の形態１に係る空気調和機の室外機の内板金を示した斜視図である。図１１は、図９に示したＣ部拡大図である。
【００２６】
加熱手段６は、図７〜図９に示すように、ヒーター６０と、ヒーター６０で加熱された周囲の温度を検知する温度検知手段６１と、を有している。加熱手段６は、図６及び図７に示すように、側面パネル３の外面に対向させて配置されており、側面パネル３の外面側の上部に設けられた取付金具８によって保持されている。なお、図示例の場合では、ヒーター６０の下方に温度検知手段６１が配置されている。
【００２７】
取付金具８の内部には、図７〜図１１に示すように、加熱手段６と側面パネル３との間に配置され、加熱手段６を保護する内板金９が設けられている。また、内板金９と側面パネル３との間には、第１断熱部材６３が設けられている。更に、内板金９と加熱手段６との間には、第２断熱部材６４が設けられている。第１断熱部材６３は、加熱手段６の熱が側面パネル３に伝わらないようにするために設けられている。第２断熱部材６４は、加熱手段６の熱が内板金９に伝わらないようにするために設けられている。加熱手段６によって、排水経路７０内の氷が融けてしまうと、凍結融解を起こしてしまい、樹脂パネルである導水板５の形状が変形するおそれがあるからである。因みに、第２断熱部材６４は、加熱手段６を押さえつけて保持する機能も有している。なお、第１断熱部材６３及び第２断熱部材６４は、必ずしも設ける必要はなく、設置状況に応じて省略してもよいし、いずれか一方のみ設けてもよい。
【００２８】
加熱手段６は、図６及び図８に示すように、側面パネル３の横幅方向に沿って配置されている。なお、ドレン水は、水量が多いほど滞留及び氷結がし難くなる。そのため、加熱手段６は、ヒーター６０が側面パネル３の横幅方向の中央に位置するように配置して、主に中央部分の加熱を強化することが望ましい。側面パネル３の横幅方向の中央部分に左右からのドレン水を集水し、排水効率を高めるためである。
【００２９】
温度検知手段６１は、例えばサーミスタ等で構成されており、筐体１の外部に配置されるヒーター６０の安全性を確保するために設けられている。ヒーター６０は、例えば温度検知手段６１で検知した温度に基づき、図示省略の制御装置によって制御される。なお、加熱手段６は、必ずしも温度検知手段６１を備えている必要はなく、ヒーター６０のみで構成してもよい。
【００３０】
取付金具８は、図６〜図８に示すように、側面パネル３に対向する側に開口面を有する矩形状の箱型で構成されている。取付金具８は、上面８０が筐体１へ向かって傾斜させて形成されており、上面８０の上端部に筐体１の内部側へ向かって屈曲させて形成した第２鉤状部８０ａを有している。また、取付金具８は、開口面の左右縁辺に沿って外方へ突き出す左フランジ部８１及び右フランジ部８２と、開口面の下縁辺に沿って外方へ突き出す下フランジ部８３と、を有している。取付金具８は、左フランジ部８１及び右フランジ部８２に形成された貫通孔８ａにネジ等に接合部材８ｂを通してフレーム材１０に接合されている。なお、接合部材８ｂは、ワッシャー等のスペーサーを介して接合される。
【００３１】
取付金具８は、図７に示すように、第２鉤状部８０ａを第１鉤状部３０に被せて、側面パネル３の外面に取り付けられる。空気調和機の室外機１００は、第２鉤状部８０ａで第１鉤状部３０を覆うことで、水の浸入経路を塞ぐことができ、側面パネル３と取付金具８とで囲まれた内部に水が浸入する事態を防止できる。つまり、取付金具８の内部で保持された加熱手段６を水から保護することができ、加熱手段６が故障する事態を防止することができる。また、取付金具８は、第１鉤状部３０を第２鉤状部８０ａへ掛け留めるだけで、側面パネル３に保持できるので、設置作業の作業性を向上させることができる。また、取付金具８の上面８０は、筐体１へ向かって傾斜させた形状なので、この勾配を利用して排水性を高めることができる。
【００３２】
なお、図７に示すように、取付金具８の上部と側面パネル３の上部との間には、隙間を塞ぐシール部材８６を設けることが望ましい。水の浸入経路を完全に塞ぎ、側面パネル３と取付金具８とで囲まれた内部に水が浸入する事態を確実に防止できるからである。なお、シール部材８６は、例えばシリコン等である。
【００３３】
図７に示すように、下フランジ部８３と側面パネル３との間には、第１緩衝部材８４が設けられている。ヒーター６０によって加熱された下フランジ部８３を介して、熱容量の大きい側面パネル３に熱が伝達される事態を抑制するためである。つまり、取付金具８の内部に熱を閉じ込めることができ、側面パネル３の上部を効率良く加熱させることができる。また、下フランジ部８３と側面パネル３との隙間から水滴が内部に浸入する事態を防止することもできる。なお、第１緩衝部材８４は、必ずしも設ける必要はなく、設置状況に応じて省略してもよい。
【００３４】
また、図８に示すように、取付金具８の内部には、取付金具８の左右側面にそれぞれ隣接させた第２緩衝部材８５が設けられている。第２緩衝部材８５は、側面パネル３と取付金具８とで囲まれた内部に水が浸入する事態を防止し、加熱手段６を水から保護するために設けられている。なお、第２緩衝部材８５は、必ずしも設ける必要はなく、設置状況に応じて省略してもよい。
【００３５】
取付金具８は、図６及び図７に示すように、側面パネル３の外面から水平方向の外向きに１５ｍｍ以下の範囲内Ｓに収まる大きさで構成されている。これは、図１に示すように、複数台の室外機１００を並べて集中的に連続設置した場合に、隣り合う室外機１００が干渉し合う事態を抑制し、設置スペースをできるだけ確保するためである。但し、室外機１００の設置スペースを考慮する必要がない場合には、ヒーター６０の発熱量と、ヒーター６０と加熱ポイントとの距離から、取付金具８の厚さの上限を決定する。
【００３６】
また、取付金具８には、図８に示すように、加熱手段６に接続された配線６２を通す第１取出口８７が形成されている。
【００３７】
内板金９は、図９及び図１０に示すように、取付金具８に向かって開口面を有する長方形状の箱型である。内板金９は、取付金具８の内部で保持された加熱手段６の周囲を覆って水から保護すると共に、外気に晒されて冷やされた側面パネル３から保護することで内部の保温効果を高める断熱材として設けられている。
【００３８】
内板金９には、左右の開口縁に沿って外方へ突き出す左フランジ面部９ａ及び右フランジ面部９ｂと、下方の開口縁に沿って外方へ突き出す下フランジ面部９ｃと、が形成されている。左フランジ面部９ａ、右フランジ面部９ｂ及び下フランジ面部９ｃには、ネジ等に接合部材９１を通す貫通孔９０がそれぞれ形成されている。内板金９は、左フランジ面部９ａ、右フランジ面部９ｂ及び下フランジ面部９ｃを取付金具８の内面に当接させ、貫通孔９０に通した接合部材９１で取付金具８に接合されている。
【００３９】
また、内板金９の下フランジ面部９ｃには、加熱手段６に接続された配線６２を通す第２取出口９２が、第１取出口８７と重ならないように位置をずらして２つ形成されている。室外機１００は、取付金具８の下面に溜まった水滴が第１取出口８７から配線６２を伝って内部に浸入するおそれがあり、浸入した水で加熱手段６が故障するおそれがある。実施の形態１の空気調和機の室外機１００では、仮に水滴が第１取出口８７から内部に浸入しても、第１取出口８７と第２取出口９２との間で水を食い止めて加熱手段６の位置まで到達させない構造なので、加熱手段６が故障する事態を未然に防止することができる。なお、上記構成の内板金９は、設置状況に応じて省略してもよい。
【００４０】
図１２は、本発明の実施の形態１に係る空気調和機の室外機であって、排水経路の上部でドレン水が氷結した状態を示した説明図である。空気調和機の室外機１００は、デフロスト運転によって溶けた霜によりドレン水が発生し、排水孔４０まで到らずに底板４上に残ってしまうことがある。底板上に残ったドレン水は、デフロスト運転終了後に、暖房運転に復帰したときに外気が氷点下であると再び凍結してしまう。室外機１００は、寒冷地環境下において、排水経路７０の下部が氷結で埋まった後に、図１２に示すように、氷結が排水経路７０内で上方へ成長していく場合がある。室外機１００は、定期的にデフロスト運転が繰り返されるため、排水経路７０の上方まで成長したドレン水結が進行すると、熱交換器２が氷で覆われてしまい暖房能力が低下したり、熱交換器２を構成する配管が潰れたりする。更に、滴下したドレン水が、成長した氷結部分を介して筐体１の内方へ浸入してしまうおそれがある。
【００４１】
そこで、実施の形態１の空気調和機の室外機１００では、筐体１と、筐体１の内部上方に設けられた熱交換器２と、筐体１の底面に設けられ、熱交換器２で発生するドレン水を外部へ排水する排水孔４０を有する底板４と、熱交換器２の下方に設けられ、ドレン水を底板４に誘導する排水構造７と、排水構造７を加熱する加熱手段６と、を備えている。排水構造７は、筐体１の外周面を覆う側面パネル３と、筐体１の内部に側面パネル３と対向して設けられ、側面パネル３との間でドレン水の排水経路７０を形成する導水板５と、で構成されている。加熱手段６は、側面パネル３の少なくとも上部を加熱する構成である。
【００４２】
つまり、実施の形態１の空気調和機の室外機１００は、排水経路７０の下部が氷結で埋まった後に、排水経路７０内で上方まで氷結が成長しても、当該氷結を加熱手段６で溶かし、図１２に示すように、排水経路７０の上端部から側面パネル３の外側へ排水させることができる。よって、空気調和機の室外機１００は、熱交換器２の暖房能力の低下、及び冷媒配管の破損を防止でき、更に滴下したドレン水が筐体１の内方に浸入してしまう事態を防止できる。
【００４３】
また、加熱手段６は、ヒーター６０と、ヒーター６０で加熱された周囲の温度を検知する温度検知手段６１と、を有している。よって、空気調和機の室外機１００は、例えば温度検知手段６１で検知した温度に基づいてヒーター６０の制御を行うことができるので、筐体１の外部に配置された加熱手段６の安全性を確保することができる。
【００４４】
また、ヒーター６０は、側面パネル３の横幅方向の中央に位置するように配置されている。よって、空気調和機の室外機１００は、側面パネル３の横幅方向の中央部分における加熱を強化することができ、当該中央部分に左右からのドレン水を集水して、排水効率を高めることができる。
【００４５】
また、加熱手段６は、側面パネル３の外面に対向させて配置されており、側面パネル３の外面側に設けられた取付金具８によって保持されている。例えば上記特許文献１のように、底板上に凍結防止ヒーターを後付で設置する構成では、筐体から側面パネルを取り外し、床板上に設置された圧縮機及び制御箱等の機内構成部品を取り外す必要があり、凍結防止ヒーターの取付作業に手間が掛かる問題があった。一方、空気調和機の室外機１００は、床板上に設置された圧縮機及び制御箱等の機内構成部品を取り外す必要がないので、加熱手段６の取付作業を容易に行うことができる。
【００４６】
加熱手段６と側面パネル３との間には、第１断熱部材６３及び第２断熱部材６４が設けられている。つまり、空気調和機の室外機１００では、ヒーター６０によって、排水経路７０内の氷が融けてしまう事態を抑制できるので、排水経路７０内の氷の凍結融解を抑制でき、樹脂パネルである導水板５の変形を防止できる。
【００４７】
取付金具８は、側面パネル３に対向する側に開口面を有する矩形状の箱型で構成されており、開口面の下縁辺に沿って外方へ突き出す下フランジ部８３を有している。そして、下フランジ部８３と側面パネル３との間には、第１緩衝部材８４が設けられている。よって、空気調和機の室外機１００は、取付金具８の内部に熱を閉じ込めることができ、側面パネル３の上端部を効率良く加熱させることができる。また、下フランジ部８３と側面パネル３との隙間から水滴が内部に浸入する事態を防止することもできる。
【００４８】
また、取付金具８の内部には、第２緩衝部材８５が左右の側面に隣接させて設けられている。よって、空気調和機の室外機１００は、側面パネル３と取付金具８とで囲まれた内部に水が浸入する事態を防止でき、加熱手段６を水から保護することができる。
【００４９】
また、取付金具８は、側面パネル３の外面から水平方向の外向きに１５ｍｍ以下の範囲内Ｓに収まる大きさで構成されている。よって、空気調和機の室外機１００は、複数台の室外機１００を並べて集中的に連続設置した場合に、隣り合う室外機１００が干渉し合う事態を抑制し、設置スペースを確保することができる。
【００５０】
また、側面パネル３は、筐体１の内部側へ向かって上端部を屈曲させて形成した第１鉤状部３０を有している。取付金具８は、筐体１の内部側へ向かって上端部を屈曲させて形成した第２鉤状部８０ａを有している。取付金具８は、第２鉤状部８０ａを第１鉤状部３０に被せて、側面パネル３の外面に取り付けられる。よって、空気調和機の室外機１００は、第２鉤状部８０ａで第１鉤状部３０を覆うことで、水の浸入経路を塞ぐことができ、側面パネル３と取付金具８とで囲まれた内部に水が浸入する事態を防止できる。つまり、取付金具８の内部で保持された加熱手段６を水から保護することができ、加熱手段６が故障する事態を防止することができる。また、第１鉤状部３０を第２鉤状部８０ａへ掛け留めるだけで、取付金具８を側面パネル３に保持させることができるので、設置作業の作業性を向上させることができる。
【００５１】
また、取付金具８の上部と側面パネル３の上部との間には、隙間を塞ぐシール部材８６が設けられている。よって、空気調和機の室外機１００は、取付金具８の上部と側面パネル３の上部における水の浸入経路を完全に塞ぎ、側面パネル３と取付金具８とで囲まれた内部に水が浸入する事態を確実に防止することができる。
【００５２】
また、取付金具８の内部には、加熱手段６と側面パネル３との間に配置され、加熱手段６を保護する内板金９が設けられている。よって、空気調和機の室外機１００は、加熱手段６を水から保護できると共に、外気に晒されて冷やされた側面パネル３から保護することで内部の保温効果を高めることができる。
【００５３】
また、取付金具８には、加熱手段６に接続された配線６２を通す第１取出口８７が形成されている。内板金９には、加熱手段６に接続された配線６２を通す第２取出口９２が、第１取出口８７と重ならないように位置をずらして形成されている。よって、実施の形態１の室外機１００は、仮に水滴が第１取出口８７から内部に浸入しても、第１取出口８７と第２取出口９２との間で水を食い止めて加熱手段６の位置まで到達させない構造なので、加熱手段６が浸入した水によって故障する事態を未然に防止することができる。
【００５４】
図１３は、本発明の実施の形態１に係る空気調和機の室外機の変形例を示した斜視図である。図１に示した空気調和機の室外機では、筐体１の４つの面のうち、１の面に加熱手段６を設けた構成を示したが、図１３に示すように、筐体１の４つの面のうち、２以上の面に取付金具８で保持された加熱手段６を設けてもよい。
【００５５】
図１４は、本発明の実施の形態１に係る空気調和機の室外機であって、取付金具の変形例を示した要部拡大図である。図１４に示す取付金具８Ａは、鋼板を折り曲げて断面Ｕ字状とした構成であり、側面パネル３に対向する側に開口面を有している。取付金具８Ａは、上面８０が筐体１へ向かって傾斜させて形成されている。なお、取付金具８Ａは、図７に示すように、上面８０の上端部に第２鉤状部８０ａを有する構成としてもよい。そして、開口面の下縁辺には、突き出す下フランジ部８３が設けられている。取付金具８Ａは、ネジ等の接合部材８ｂによって下フランジ部８３がフレーム材１０に接合されている。なお、左右の側面は、開口面としている。この取付金具８Ａは、簡易な構造なので製造コストを削減することができる。
【００５６】
実施の形態２．
次に、実施の形態２に係る空気調和機の室外機を図１５に基づいて説明する。図１５は、本発明の実施の形態２に係る空気調和機の室外機の排水構造を概略的に示した断面図である。なお、実施の形態１で説明した空気調和機の室外機１００と同一の構成要素について、同一の符号を付して、その説明を適宜省略する。
【００５７】
実施の形態２に係る空気調和機の室外機１０１では、図１５に示すように、加熱手段６Ａが、側面パネル３の全面を加熱させるパネルヒーターで構成されている。加熱手段６Ａは、側面パネル３と導水板５との間に配置されており、底板４の排水孔４０に到達する位置まで設けられている。加熱手段６Ａは、一例としてフレーム材１０にネジ等の接合部材を介して取り付けられている。実施の形態２に係る空気調和機の室外機１０１では、側面パネル３と導水板５とで形成された排水経路７０を加熱手段６Ａによって加熱することができるので、氷結が排水経路７０内で上方へ成長していく事態を防止することができ、寒冷地環境下であっても、ドレン水を底板４の排水溝４１へ導いて効率的に排水することができる。
【００５８】
なお、実施の形態２に係る空気調和機の室外機１０１は、側面パネル３の全面を加熱手段６Ａで加熱することができればよく、必ずしも底板４の排水孔４０に到達する位置まで設けなくてもよい。
【００５９】
実施の形態３．
次に、実施の形態３に係る空気調和機の室外機を図１６に基づいて説明する。図１６は、本発明の実施の形態３に係る空気調和機の室外機の排水構造を概略的に示した断面図である。なお、実施の形態１で説明した空気調和機の室外機１００と同一の構成要素について、同一の符号を付して、その説明を適宜省略する。
【００６０】
実施の形態３に係る空気調和機の室外機１０２では、図１６に示すように、加熱手段６Ｂが、側面パネル３の全面を加熱させるパネルヒーターであり、側面パネル３に内蔵された構成である。実施の形態３に係る空気調和機の室外機１０２も、側面パネル３と導水板５とで形成された排水経路７０を加熱手段６Ｂによって加熱することができるので、氷結が排水経路７０内で上方へ成長していく事態を防止することができ、寒冷地環境下であっても、ドレン水を底板４の排水溝４１へ導いて効率的に排水することができる。
【００６１】
以上に本発明を実施の形態に基づいて説明したが、本発明は上述した実施の形態の構成に限定されるものではない。例えば、図示した室外機１００の内部構成は、一例であって、上述した内容に限定されるものではなく、他の構成要素を含んでもよい。また、実施の形態１で説明した加熱手段６は、必ずしも側面パネル３の外面に対向させて配置する必要はなく、側面パネル３の少なくとも上部を加熱することができれば、例えば熱交換器２等の他の箇所に取り付けてもよい。また、取付金具８は、上記形態に限定されず、加熱手段６を保持することができれば、他の形態でもよい。要するに、本発明は、その技術的思想を逸脱しない範囲において、当業者が通常に行う設計変更及び応用のバリエーションの範囲を含むものである。
【符号の説明】
【００６２】
１  筐体、１ａ  空気吸込口、１ｂ  空気吹出口、２  熱交換器、３  側面パネル、４  底板、５  導水板、６、６Ａ、６Ｂ  加熱手段、７  排水構造、８、８Ａ  取付金具、８ａ  貫通孔、８ｂ  接合部材、９  内板金、９ａ  左フランジ面部、９ｂ  右フランジ面部、９ｃ  下フランジ面部、１０  フレーム材、１１  ファン、１２  機内構成部品、２０  支持台、３０  第１鉤状部、４０  排水孔、４１  排水溝、４２  立ち上がり部、５０  排水面、５１  傾斜部、５２  湾曲部、５３、５４  フランジ部、５５  縦リブ、５６  取付部材、５７  貫通孔、６０  ヒーター、６１  温度検知手段、６２  配線、６３  第１断熱部材、６４  第２断熱部材、７０  排水経路、８０  上面、８０ａ  第２鉤状部、８１  左フランジ部、８２  右フランジ部、８３  下フランジ部、８４  第１緩衝部材、８５  第２緩衝部材、８６  シール部材、８７  第１取出口、９０  貫通孔、９１  接合部材、９２  第２取出口、１００、１０１、１０２  室外機。
【図１】
2020148888.tif 000003
【図２】
2020148888.tif 000004
【図３】
2020148888.tif 000005
【図４】
2020148888.tif 000006
【図５】
2020148888.tif 000007
【図６】
2020148888.tif 000008
【図７】
2020148888.tif 000009
【図８】
2020148888.tif 000010
【図９】
2020148888.tif 000011
【図１０】
2020148888.tif 000012
【図１１】
2020148888.tif 000013
【図１２】
2020148888.tif 000014
【図１３】
2020148888.tif 000015
【図１４】
2020148888.tif 000016
【図１５】
2020148888.tif 000017
【図１６】
2020148888.tif 000018
【国際調査報告】
2020148888.tif 000019
2020148888.tif 000020
2020148888.tif 000021
2020148888.tif 000022